(57)【要約】      （修正有）【課題】重量のある大型ローター軸や振動の多い主軸の振動を小さくすること。【解決手段】ローター受軸台２とバランスシリンダー４の間に圧縮空気圧の流れる層と振動吸収タイヤ１６を設け、ローター軸１の左右共振型振動とショーク型振動を吸収する。ローター受軸台２を４台のバランスセーンサーユニットでバランスシリンダー４の中央に浮かせている。【選択図】図１
2018135947.tif 000002
【特許請求の範囲】
【請求項１】
外部の機器からの圧縮空気圧で出力された圧縮空気圧は複数の高圧空気取り入れ調整バルブ口に接続され複数の圧縮空気圧を複数のバランスセンサーユニットで4バランスシリンダーと２ローター受軸台間に出力し２ローター受軸台の重さを浮かせる圧縮空気圧で4バランスシリンダーの中央部に誘導調整する機能を備え、２ローター受軸台と4バランスシリンダーの間に圧縮空気圧の流れる層で２ローター受軸台と4バランスシリンダー間の摩擦負荷を軽減し４台のバランスセンサーユニットと16振動吸収タイヤで1ローター軸の上下前後共振型振動とショーク型振動を吸収する装置とし2ローター受軸台の回転を利用し9お椀型ボールを10鍋型シリンダー受台でも4バランスシリンダーの中央に２ローター受軸台を誘導する装置とし圧縮空気圧の流れる層で２ローター受軸台を4バランスシリンダーの中央に浮かせる機能で上下前後の共振型振動とショーク型振動を吸収する装置とし、10鍋型シリンダー受台と4バランスシリンダー間の圧縮空気圧でも振動を吸収する機能を持つ事を特徴とする空気圧軸受。
【請求項２】
4バランスシリンダーと2ローター受軸台の間に発生する摩擦を圧縮空気圧の流れる層で軽減するが9お椀型ボールの回転でも2ローター受軸台を10鍋型シリンダーの中央に誘導する事で摩擦による振動を軽減する事を特徴とする請求項1記載の空気圧軸受
【請求項３】
2ローター受軸台と4バランスシリンダーの間に圧縮空気圧の流れる層をバランスセンサーユニットで制御し2ローター軸台を4バランスシリンダーの中心部に浮かし滑らかに2ローター軸台の回転運動を起動させる事を特徴とする請求項1記載の空気圧軸受
【請求項４】
2ローター受軸台と4バランスシリンダー間の隙間調整を四台のバランスセンサーユニットの空気吹き出す力で2ローター受軸台を4バランスシリンダーの中央に誘導制御する機能を持つ事を特徴とする請求項1記載の空気圧軸受
【請求項５】
2ローター受軸台の左右上下共振型振動とショーク型振動を修正する機能は9お椀型ボールと10鍋型シリンダー受台と空気圧調整スプリングと2ローター受軸台で構成され9お椀型ボールの回転で中央に誘導し振動を吸収する事を特徴とする請求項1、2、4記載の空気圧軸受
【請求項６】
バランスセンサーユニットで制御された圧縮空気圧を利用し2ローター受軸台を4バランスシリンダーの中央部に浮かせる事で上下前後の振動を吸収する事を特徴とする請求項1、5記載の空気圧軸受
【請求項７】
10鍋型シリンダー受台と11空気圧調整スプリングと12空気圧調整スプリングと13空気圧調整プレートと空気圧調整ボルトで9お椀型ボールの左右の振動と共振型振動を吸収する機能を持つ事を特徴とする請求項1、5記載の空気圧軸受
【請求項８】
左右のショック型振動を吸収する機能として複数の空気圧調整ボルトと空気圧調整スプリングと2ローター受軸台と4バランスシリンダー間の空気圧変化を平常に戻す機能でショック型振動を修正する構造を持つ事を特徴とする請求項1、2記載の空気圧軸受
【請求項９】
ローター軸の振動を吸収する装置としてタイヤ構造の機能を持つ16振動吸収タイヤの空気圧軸受内で発生した振動を外部に出さない構造を装置とした事を特徴とする請求項1記載の空気圧軸受。
【請求項１０】
バランスセンサーユニットではＵ-1振動検出アームとＵ-2空気圧調整バルブ軸とＵ-3振動検出ローラー軸とＵ-4振動復帰スプリングとＵ-5振動伝達フレームとＵ-6振動検出ローラーで振動を感知し圧縮空気で4バランスシリンダー内に在る2ローター受軸台を中央に浮かせ誘導し摩擦と振動による動力の損失を最小にする事を特徴とする請求項1、6記載の空気圧軸受。
【請求項１１】
バランスセンサーユニットでは2ローター受軸台を4バランスシリンダーの中央に誘導制御する2ローター軸の回転とＵ-2空気圧調整バルブ軸の二口あるバルブで空気吹きだし出力を調整し2ローター受軸台を4バランスシリンダーの中央に浮かし誘導制御する事を特徴とする請求項1,6,10記載の空気圧軸受。
【請求項１２】
2ローター受軸台を4バランスシリンダー間でショック型振動に耐用掏る機能を2ローター受軸台と4バランスシリンダーの摩擦で2ローター受軸台の回転ブレーキに耐用掏る事を特徴とする請求項1,6,11記載の空気圧軸受。
【発明の詳細な説明】
【技術分野】
【０００１】
圧縮空気圧の流れる層で重量の在る物を浮かし移動する力を軽減でき摩擦による摩耗も少なくし重量物に合わせ調整制御が出来る事でバランスシリンダーの内側にあるローター軸をバランスシリンダーの中心部に圧縮空気圧で誘導制御しバランスを取り重みの摩擦を軽減する軸受装置である。
【背景技術】
【０００２】
現在の使われている軸受の大半は、極度に磨かれたボールベヤーリングやシャフトで摩擦を開始してきたが、大型で重量のある回転軸や絶えず振動するローター軸等では摩耗が問題になり色々と考えられて来たが決定的な方法は見つかっていないのを問題にした。
【先行技術文献】
【特許文献】
【０００３】
【特許文献１】特願08−333910
【発明の概要】
【０００４】
大きく重いローター軸を滑らかに動かす装置の主要部品の一つとしてのローター軸受に関するものである。
空気圧軸受は、重量のある大型ローター軸や振動の多い主軸の振動を、空気圧の流れる層で物と物の間に発生する摩擦や振動を最小限度しローター軸の振動を空気振動に変え装置の外部に放出し装置の共振を避ける事と物と物の摩擦面が最小減に抑える機械部品である。
【発明が解決しようとする課題】
【０００５】
舞台のショーや手品で蝶々の形の神を空中に浮かせ扇子で動きをコントールシーンを見る事が出来るこの原理を使えば物と物の間を空気の流れる層で固体と物の間に空気の流れる層を作り浮かせば移動回転させる事が出来摩擦騒音も少なく振動も少なくすることが出来る。
上記の問題を解決するには、圧縮空気圧を調整出来る空気圧縮ポンプと振動をキャチするセンサーユニットと重量を持ち上げる圧縮空気圧の量と制御調整するバルブ機能の構成で摩擦や振動を軽減出来る可能性がある。
圧縮空気圧を調整出来る空気圧縮ポンプ装置は、各メイカーが商品化されているので本出願では圧縮空気圧調整機器の部分は部外とし、本発明では限れた空間の中で物を圧縮空気で4バランスシリンダーの中央に浮かせ上下前後のバランスを制御しバランスを検出し4バランスシリンダーの中央に2ローター受軸台を誘導する複数のセンサーユニットで滑らかな回転運動をする装置とし左右の振動を9お椀型ボールと10鍋型シリンダー受台と各種部品で構成された装置で振動と摩擦による負荷を軽減する事を課題とした。
【課題を解決するための手段】
【０００６】
空気圧軸受の２ローター受軸台と4バランスシリンダーの間に圧縮空気圧の流れる層で２ローター受軸台と4バランスシリンダー間の摩擦とショーク型振動を最小限度にするには複数のバランスセンサーユニットと16振動吸収タイヤと圧縮空気圧の流れる層で構成され1ローター軸の左右共振型振動とショーク型振動を吸収し2ローター受軸台の回転を利用し9お椀型ボールと10鍋型シリンダー受台でも4バランスシリンダーの中央に誘導する機能でも振動を吸収する装置とした。
圧縮空気圧で２ローター受軸台を4バランスシリンダーの中央に浮かせる機能は４台のバランスセンサーユニットは図4で示す様に圧縮空気圧の流れを対照的にする事で上下前後の共振型振動とショーク型振動を吸収する装置とした。
【０００７】
左右共振型振動とショーク型振動を吸収する機能は16振動吸収タイヤと２ロータ―受軸台と9お椀型ボールと10鍋型シリンダー間での振動を吸収するが10鍋型シリンダー受台と4バランスシリンダー間の空気圧でも振動を吸収する機能を持とした。
2ローター受軸台と4バランスシリンダーの間に圧縮空気圧の流れる層をバランスセンサーユニットで制御し2ローター軸台を4バランスシリンダーの中心部に浮かし滑らかに2ローター軸台の回転運動で起動させるには安定した圧縮空気が必要とし（この部分は各メイカーが市販されているのでここでは触れないとして）初期起動のバランスセンサーユニットの機能は安定された圧縮空気が無いと摩擦ブレーキの機能が働き軸受の機能は低下し空気圧軸受を保護するとした。
【０００８】
2ローター受軸台の左右上下共振型振動とショーク型振動を修正する機能は9お椀型ボールと10鍋型シリンダー受台と空気圧調整スプリングと2ローター受軸台で構成され2ローター受軸台に取り付けられた9お椀型ボールの回転で2ローター受軸台を中央に誘導し振動と摩擦を軽減する事にした。
又バランスセンサーユニットで制御された圧縮空気圧を利用し2ローター受軸台を4バランスシリンダーの中央部に浮かせる機能は上下前後の振動を吸収する機能があるが一台のバランスセンサーユニットではこの機能を発揮する事が出来ず複数のバランスセンサーユニットが必要とする。
【０００９】
空気圧で左右ショック型振動と共振型振動を吸収する機能は14空気圧調整ボルトと15空気圧調整ボルトと空気圧調整スプリング（図面に書けなかった後の2本のボルト）で構成されている、2ローター受軸台と4バランスシリンダー間に摩擦やショック型振動が発生すると2ローター受軸台と4バランスシリンダー間に圧縮空気圧の振動が発生する、この      圧縮空気圧を平常気圧に戻す機能は10鍋型シリンダー受台と空気圧調整スプリングと13空気圧調整プレートと空気圧調整ボルトで構成された機能は9お椀型ボールの左右の振動と共振型振動を吸収する機能を持つとした。
【００１０】
ローター軸の振動を吸収する機能としてタイヤ構造の機能を持つ16振動吸収タイヤで吸収する事で空気圧軸受内で発生した振動を外部に出さない装置とした。
バランスセンサーユニットでは空気圧の流れる層で2ローター受軸台を4バランスシリンダーの中央に浮かし誘導する機能が求められる、この問題を解決するには2ローター受軸台の重さを圧縮空気圧で浮かせ2ローター受軸台の回転で4バランスシリンダー中央部に誘導し浮かす機能は、Ｕ-2空気圧調整バルブ軸の動く事による空気の流れる量で可能とした。
【００１１】
バランスセンサーユニットではＵ-1振動検出アームとＵ-2空気圧調整バルブ軸とＵ-3振動検出ローラー軸とＵ-4振動復帰スプリングとＵ-5振動伝達フレームとＵ-6振動検出ローラーとＵ-7高圧空気取り入れ調整バルブ口とＵ-8調整空気出力口とＵ-9調整空気出力口とＵ-10調整空気入力口とＵ-11調整空気入力口で構成され圧縮空気で4バランスシリンダー内に在る2ローター受軸台を中央に浮かせ誘導し摩擦と振動による運動の破損を最小に掏るバランスセンサーユニットである。
【００１２】
バランスセンサーユニットではローター受軸台の振動をキャチする機能としてＵ-6振動検出ローラーでローター受軸台の振動キャチしこの振動をＵ-1振動検出アームに伝えＵ-1振動検出アームはＵ-2空気圧調整バルブ軸に伝える事で4バランスシリンダーに取り付けられた穴をふさぐ動作で空気の流れ量を調整する事でバルブの機能としてローター受軸台の振動を吸収する事にした。
尚複数のバランスセンサーユニットでは空気の吹き出し口は二口で180度違いとする。
【発明の効果】
【００１３】
1、 大きい物や重量の在る物を滑らかに回転移動させる効果がある。
2、 振動摩擦音を軽減できる可能性がある。
3、 振動摩擦の破損を軽減できる可能性がある。
4、 軸受の摩耗が少なくローター軸の摩耗が最小限度に抑えられる可能性がある。
5、 自動車に使うホイルモーターに組み込む軸受に使用できる可能性がある。
6、 自動車に使うホイルモーターに組み込む事で重心を変化させる事が出来る。
7、 水平型風力発電装置の軸受に使用出来る可能性がある。
8、 ショーク振動を軽減出来る可能性がある。
【図面の簡単な説明】
【００１４】
【図１】正面断面図（各部品の配置図）
【図２】R面図（R面から見た各部品の配置図）
【図３】バランスセンサーユニット部品配置図
【図４】バランスセンサーユニット構成図
【発明を実施するための形態】
【００１５】
1ローター軸は、車輪歯車ブレード等を取り付け動力を誘導分散する台でもある、本空気圧受軸ではローター軸の回転を滑らかなに回転する長い洞シャフトはパイプ菅でとする。
2ローター受軸台は、ローター軸の先端近くに取り付けられるカップ型ローター軸で、この軸は、ローター軸バランスをバランスセンサーユニットへ伝えるローター受軸台である。
3空気圧ジールは、2ローター受軸台と4バランスシリンダーの間に取り付けられるオイルシールで4バランスシリンダーと2ローター受軸台間の空気を外部に漏らさないパッキンの役目をする物である。
【００１６】
4バランスシリンダーは、５,６,７,８バランスセンサーユニットを搭載される4バランスシリンダーで10鍋型シリンダー受台との合いで空気圧調整する片側の役目と突起の溝でＵ1振動検出アームを支える部品である。
5バランスセンサーユニット5,6,7,8は共通のユニットでＵ-7高圧空気取り入れ調整バルブ口をセンターとして高圧空気取り入れ調整バルブ口を４５°づつ角度を変え取り付ける必要のあるバランスセンサーユニットで空気圧を調整し主軸のバランスを調整する機能を持つバランスセンサーユニットである。
9お椀型ボールは、ローター軸のバランスが取れなくなった時10鍋型シリンダー受台の中を転がりながら中心部に移動しつつバランスを取るお椀型ボールである
【００１７】
10鍋型シリンダー受台は、9お椀型ボールの受台で主軸のバランスを中央部に誘導する鍋型シリンダー受台である  
11空気圧調整スプリングと12空気圧調整スプリングは2ローター受軸台と4バランスシリンダー間の空気圧バランスを取るスプリングである。（図面では書けなかったが、このスプリングは４か所で構成されているが調整されるスプリングは数の多い方が制度が高まるので４本とは限らないとする）
13空気圧調整プレートは、2ローター受軸台と4バランスシリンダー間の空気圧バランスを取るプレートの機能と空気圧調整スプリング台の機能する空気圧調整プレートである
【００１８】
14空気圧調整ボルトと15空気圧調整ボルトは、2ローター受軸台と4バランスシリンダー間の空気圧を調整する機能と横に振動するローター軸に圧力をかけ中心部に誘導し一定のバランスを取る空気圧調整ボルトである。（図面では書けなかったが4本のボルトで構成されているが調整ボルトは数の多い方が制度が高まるので４本とは限らない）
16振動吸収タイヤは、大きく振動するローター軸の振動を吸収するタイヤである（このタイヤは柔軟性に優れたゴムやタイヤ構造の物とする）
17振動吸収タイヤ受台は、振動吸収タイヤを支えるタイヤ受台である。
【００１９】
18振動吸収タイヤ受台は、振動吸収タイヤを支えるタイヤ受台である。
19空気圧受軸取り付け台は、空気圧受軸を取り付けるフレームである、
20空気圧受軸取り付けボルトは、空気圧受軸と空気圧受軸取り付け台を取り付けるボルトである。
【００２０】
U-1振動検出アームは、ローター軸の動きを空気圧調整バルブ軸に伝えるアームで在って4バランスシリンダーの突起での溝で動きが滑らかになる様にする事が必要である。
U-2空気圧調整バルブ軸は、振動検出アームの動きで空気出力を調整しローター軸とバランスシリンダー間に起きた振動を空気圧に変えこの振動を調整しローター軸をバランスシリンダーの中心部に誘導する部品である。
U-3振動検出ローラー軸は、振動検出ローラーの軸シャフトである。
【００２１】
U-4振動復帰スプリングは、ローター軸の動きを滑らかに振動検出アームに伝えるスプリングである
U-5振動伝達フレームは、振動検出ローラーからの振動を振動検出アームに伝える振動伝達フレームである。
Ｕ-6振動検出ローラーは、ローター軸の回転運動の中での振動を検出し振動伝達フレームに伝え空気圧バランスを取る先端ローラーである。
【００２２】
U-7高圧空気取り入れ調整バルブ口は、外部から高圧空気を取り入れ口で、四台のバランスセンサーユニットの性能を調整しバランスを取る、空気圧はローター軸の重さに寄って違うが、2ローター受軸台が4バランスシリンダーの中央に浮く程度の空気圧に調整できる物とする。
Ｕ-8空気圧調整出力口で、調整された空気圧をP-2からP-2へ高圧空気をホウス又はパイプでつなぐジョイント口である。（高圧ホウス又高圧に耐えられるパイプとする）
Ｕ-9空気圧調整出力口で、調整された空気圧をP-1からP-1へ高圧空気をホウス又はパイプでつなぐジョイント口である。（高圧ホウス又高圧に耐えられるパイプとする）
【００２３】
Ｕ-10調整空気入力口は、空気圧調整バルブ軸で空気圧を調整された空気（P-1）を入力しローター軸のバランスを取りローター軸の回転を滑らかにする調整空気入力口である。
Ｕ-11調整空気入力口は、空気圧調整バルブ軸で空気圧を調整された空気（P-2）を入力しローター軸のバランスを取りローター軸の回転を滑らかにする調整空気入力口である。
【産業上の利用可能性】
【００２４】
1、 水平型風力発電装置の要に横に長く重量の在る物を回転させる軸受として使うことが出来る。
2、 プロペラ型の発電装置の先端の軸受として使うことが出来る。
3、 船舶推進プロペラの主軸受軸として使うことが出来る。
4、 振動の多い機械の振動を防止することが出来る。
5、 振動音を防止する軸受として使うことが出来る。
6、 自動車駆動ホイルに組みこむと重心移動と摩擦による負荷を軽減出来る可能性がある。
【符号の説明】
【００２５】
1、ローター軸
2、ローター受軸台
3、空気圧ジール
4、バランスシリンダー
5、バランスセンサーユニット
6、バランスセンサーユニット
7、バランスセンサーユニット
8、バランスセンサーユニット
9、お椀型ボール
10、鍋型シリンダー受台  
11、空気圧調整スプリング  
12、空気圧調整スプリング  
13、空気圧調整プレート  
14、空気圧調整ボルト
15、空気圧調整ボルト
16、振動吸収タイヤ
17、振動吸収タイヤ受台
18、振動吸収タイヤ受台    
19、空気圧受軸取り付け台  
20、空気圧受軸取り付けボルト
Ｕ-1,振動検出アーム
Ｕ-2,空気圧調整バルブ軸
Ｕ-3,振動検出ローラー軸
Ｕ-4、振動復帰スプリング
Ｕ-5、振動伝達フレーム
Ｕ-6、振動検出ローラー
Ｕ-7、高圧空気取り入れ調整バルブ口
Ｕ-8、調整空気出力口
Ｕ-9、調整空気出力口
Ｕ-10、調整空気入力口
Ｕ-11、調整空気入力口
【図１】
2018135947.tif 000003
【図２】
2018135947.tif 000004
【図３】
2018135947.tif 000005
【図４】
2018135947.tif 000006